(57)【特許請求の範囲】
【請求項１】
原稿に向けてそれぞれ異なる色の光を出射する３つの発光部と、
前記３つの発光部が順次発光するごとに前記原稿から主走査方向の１ライン分の画像を読み取るとともに、前記主走査方向に直交する副走査方向に沿って前記原稿における画像の読み取り位置を移動させることによって各発光色に対応する複数ライン分の単色ライン画像データを順次出力する画像読取処理を実行する画像走査部と、を備える画像読取装置であって、
前記３つの発光部の発光順序を予め定められた複数の発光パターンの中から選択する発光順序選択部と、
前記３つの発光部を前記発光順序選択部により選択された前記発光パターンに従った順序で順次発光させる選択後発光制御部と、
前記選択後発光制御部の処理と並行して前記画像走査部に前記画像読取処理を実行させる選択後走査制御部と、
前記原稿の下地色に関する原稿下地情報を取得する原稿下地情報取得部と、を備え、
前記発光順序選択部が、前記原稿下地情報により特定される３つの発光色各々の成分のうち最も弱い成分に相当する前記発光部を２番目に発光させる前記発光パターンを選択する発光順序自動選択部を含む、画像読取装置。
【請求項２】
前記３つの発光部を全ての前記発光パターン各々に従った順序で順次発光させる第１選択前発光制御部と、
前記第１選択前発光制御部の処理と並行して前記画像走査部に前記副走査方向における起点側の一部の走査範囲について前記画像読取処理を実行させる第１選択前走査制御部と、
前記第１選択前走査制御部の処理において前記３つの発光部全ての発光が一巡するごとに得られる１組の前記単色ライン画像データを前記主走査方向の１ライン分のカラー画像データとして、前記発光パターン各々に対応するカラーの標本画像を表示部に表示させる標本画像出力部と、を備え、
前記発光順序選択部は、操作部に対する前記標本画像の１つを選択する操作を通じて前記標本画像の１つに対応する前記発光パターンを選択する発光順序手動選択部を含む、請求項１に記載の画像読取装置。
【請求項３】
前記標本画像出力部は、複数の前記発光パターン各々に対応する複数の前記標本画像を並べて前記表示部に表示させる、請求項２に記載の画像読取装置。
【請求項４】
前記原稿下地情報取得部が、
前記３つの発光部を予め定められた順序で順次発光させる第２選択前発光制御部と、
前記第２選択前発光制御部の処理と並行して前記画像走査部に前記副走査方向における起点側の一部の走査範囲について前記画像読取処理を実行させる第２選択前走査制御部と、
前記第２選択前走査制御部の処理において前記３つの発光部全ての発光が一巡するごとに得られる全ての発光色の前記単色ライン画像データが表す色の情報を前記原稿下地情報とする下地色解析部と、を含む、請求項１から請求項３のいずれか１項に記載の画像読取装置。
【請求項５】
前記第２選択前走査制御部が前記副走査方向における前記起点側の一部の走査範囲について前記画像走査部に前記画像読取処理を実行させ、それに引き続き前記選択後走査制御部が、前記副走査方向における残り走査範囲について前記画像読取処理を実行させる、請求項４に記載の画像読取装置。
【請求項６】
前記原稿下地情報取得部が、
操作部に対する操作によって指定される指定色の情報を取得し、前記指定色に関する情報を前記原稿下地情報とする指定色情報取得部を含む、請求項５に記載の画像読取装置。
【請求項７】
請求項１〜６のいずれか１項に記載の画像読取装置と、
前記画像読取装置により得られる複数ライン分の前記単色ライン画像データに応じた画像を記録シートに形成する画像形成装置と、を備える画像処理装置。
【請求項８】
原稿に向けてそれぞれ異なる色の光を出射する３つの発光部と、
前記３つの発光部が順次発光するごとに前記原稿から主走査方向の１ライン分の画像を読み取るとともに、前記主走査方向に直交する副走査方向に沿って前記原稿における画像の読み取り位置を移動させることによって各発光色に対応する複数ライン分の単色ライン画像データを順次出力する画像読取処理を実行する画像走査部と、を備える画像読取装置の制御方法であって、
前記３つの発光部の発光順序を予め定められた複数の発光パターンの中から選択する工程と、
前記３つの発光部を選択された前記発光パターンに従った順序で順次発光させる工程と、
前記３つの発光部を選択された前記発光パターンに従った順序で順次発光させる工程と並行して前記画像走査部に前記画像読取処理を実行させる工程と、
前記原稿の下地色に関する原稿下地情報を取得する工程と、を備え、
前記３つの発光部の発光順序を前記複数の発光パターンの中から選択する工程が、前記原稿下地情報により特定される３つの発光色各々の成分のうち最も弱い成分に相当する前記発光部を２番目に発光させる前記発光パターンを選択する工程を含む、画像読取装置の制御方法。
【発明の詳細な説明】
【技術分野】
【０００１】
本発明は、画像読取装置、画像処理装置および画像読取装置の制御方法に関する。
【背景技術】
【０００２】
一般に、カラー画像を読み取り可能な画像読取装置は、原稿に向けてそれぞれ異なる色の光を出射する複数の発光部と、画像読取処理を実行する画像走査部とを備える。一般に、カラーの前記画像読取装置は、赤、緑および青の３原色の光を発光する３つの前記発光部を備える。
【０００３】
前記画像読取処理において、前記画像走査部は、前記発光部各々の発光に同期して前記原稿における主走査方向に沿う線状領域からの反射光の光量を検出するイメージセンサーを備える。前記画像走査部は、前記イメージセンサーによる光量検出を行いつつ副走査方向に沿って前記原稿における画像の読み取り位置を移動させる。これにより、前記画像走査部は、前記線状領域における複数の画素についての検出光量に相当する単色ライン画像データを順次出力する。なお、前記副走査方向は、前記主走査方向に直交する方向である。
【０００４】
前記画像読取装置は、前記副走査方向の全走査範囲についての前記画像読取処理において前記発光部各々の発光が全発光色について一巡するごとに得られる全発光色の前記単色ライン画像データを前記主走査方向の１ライン分の画像データとして処理する。
【０００５】
前記画像読取装置において、複数の前記発光部と前記イメージセンサーとが一体化された構造を有するＣＩＳ（Contact Image Sensor）ユニットが採用されることが知られている。複数の前記発光部は、予め定められた順序および解像度に応じて予め設定された周期で順次点灯される。
【０００６】
また、前記画像読取装置において、前記副走査方向における画像の色ズレを軽減するため、３原色の前記発光部の順次点灯を複数周期繰り返すことによって１ライン分のカラー画像データを得ることが知られている（例えば、特許文献１参照）。
【先行技術文献】
【特許文献】
【０００７】
【特許文献１】特開２０００−３３２９６０号公報
【発明の概要】
【発明が解決しようとする課題】
【０００８】
ところで、１ライン分のカラー画像データを得るために前記発光部の順次点灯を複数周期繰り返すことは、前記副走査方向における読取画像の解像度の悪化につながる。また、解像度の悪化を回避するために前記副走査方向の走査速度を遅くすることは、処理速度の性能悪化につながる。
【０００９】
一方、前記原稿の下地の色および画像内容などによって、色ズレが目立つ場合と目立たない場合とがある。
【００１０】
本発明の目的は、画像読取処理の解像度および速度の性能悪化を招くことなく読取画像における色ズレが極力目立たないようにできる画像読取装置、画像処理装置および画像読取装置の制御方法を提供することにある。
【課題を解決するための手段】
【００１１】
本発明の一の局面に係る画像読取装置は、複数の発光部と、画像走査部と、発光順序選択部と、選択後発光制御部と、選択後走査制御部とを備える。前記発光部各々は、原稿に向けてそれぞれ異なる色の光を出射する。前記画像走査部は、画像読取処理を実行する。前記画像読取処理は、前記複数の発光部が順次発光するごとに前記原稿から主走査方向の１ライン分の画像を読み取るとともに、副走査方向に沿って前記原稿を走査することによって各発光色に対応する複数ライン分の単色ライン画像データを順次出力する処理である。前記副走査方向は、前記主走査方向に直交する方向である。前記発光順序選択部は、前記複数の発光部の発光順序を予め定められた複数の発光パターンの中から選択する。前記選択後発光制御部は、前記複数の発光部を前記発光順序選択部により選択された前記発光パターンに従った発光順序で順次発光させる制御を行う。前記選択後走査制御部は、前記選択後発光制御部の処理と並行して前記画像走査部に前記画像読取処理を実行させる制御を行う。
【００１２】
本発明の他の局面に係る画像処理装置は、本発明の一の局面に係る前記画像読取装置と、画像形成装置とを備える。前記画像形成装置は、前記画像読取装置により得られる複数ライン分の前記単色ライン画像データに応じた画像を記録シートに形成する装置である。
【００１３】
本発明の他の局面に係る画像読取装置の制御方法は、以下の各工程を含む。第１工程は、前記複数の発光部の発光順序を予め定められた複数の発光パターンの中から選択する工程である。第２工程は、前記複数の発光部を選択された前記発光パターンに従った順序で順次発光させる工程である。第３工程は、前記複数の発光部を選択された前記発光パターンに従った順序で順次発光させる工程と並行して前記画像走査部に前記画像読取処理を実行させる工程である。
【発明の効果】
【００１４】
本発明によれば、画像読取処理の解像度および速度の性能悪化を招くことなく読取画像における色ズレが極力目立たないようにできる画像読取装置、画像処理装置および画像読取装置の制御方法を提供することが可能になる。
【図面の簡単な説明】
【００１５】
【図１】図１は、第１実施形態に係る画像読取装置を備える画像処理装置の構成図である。
【図２】図２は、第１実施形態に係る画像読取装置におけるイメージセンサーユニットの部分の構成図である。
【図３】図３は、第１実施形態に係る画像読取装置が備える画像処理関連機器のブロック図である。
【図４】図４は、第１実施形態に係る画像読取装置におけるカラー画像読取処理の手順の一例を示すフローチャートである。
【図５】図５は、第１実施形態に係る画像読取装置における発光順序手動選択処理の際の表示画面の一例を表す図である。
【図６】図６は、第２実施形態に係る画像読取装置におけるカラー画像読取処理の手順の一例を示すフローチャートである。
【図７】図７は、第３実施形態に係る画像読取装置におけるカラー画像読取処理の手順の一例を示すフローチャートである。
【発明を実施するための形態】
【００１６】
以下、添付図面を参照しながら、本発明の実施形態について説明する。なお、以下の実施形態は、本発明を具体化した一例であって、本発明の技術的範囲を限定する性格を有さない。
【００１７】
［第１実施形態］
まず、図１〜３を参照しつつ第１実施形態に係る画像読取装置１を備える画像処理装置１０の構成について説明する。画像処理装置１０は、画像読取装置１および画像形成装置２を備える。さらに、画像処理装置１０は、画像読取装置１および画像形成装置２に共通の制御部８および操作表示部８０も備える。
【００１８】
例えば、画像処理装置１０は、複写機、複写機の機能を有するプリンターもしくはファクシミリ、または画像読取機能を含む複数の画像処理機能を備える複合機などである。
【００１９】
図１に示されるように、画像読取装置１は、透明の原稿台１３、画像走査部１１および原稿台カバー１２を備える。原稿台カバー１２には、ＡＤＦ（Auto Document Feeder）１４が組み込まれている。
【００２０】
原稿台１３は、画像の読み取り対象物である原稿９０が載置される部分である。一般に、原稿台１３はプラテンガラスと称される。原稿台カバー１２は、画像処理装置１０の筐体１００に対し、原稿台１３上を覆う閉位置と解放する開位置との間で回動可能に支持されている。
【００２１】
画像走査部１１は、イメージセンサーユニット１１０および走査機構１１１などを備える。以下の説明において、原稿９０の表面に沿う一の方向およびそれに直交する方向のことを、それぞれ主走査方向Ｒ１および副走査方向Ｒ２と称する。
【００２２】
図２に示されるように、イメージセンサーユニット１１０は、発光部１１２、レンズ１１３およびイメージセンサー１１４などを含む。本実施形態におけるイメージセンサーユニット１１０は、ＣＩＳユニットである。発光部１１２、レンズ１１３およびイメージセンサー１１４は、主走査方向Ｒ１に沿って棒状に形成されている。
【００２３】
発光部１１２は、赤発光部１１２Ｒ、緑発光部１１２Ｇおよび青発光部１１２Ｂを含む。発光部１１２およびレンズ１１３は、主走査方向Ｒ１に沿う棒状に形成されている。
【００２４】
発光部１１２は、原稿台１３上の原稿９０に向けて主走査方向Ｒ１に沿って形成された光を出射可能である。例えば、発光部１１２が、主走査方向Ｒ１に沿って配列された複数の発光ダイオードを含むＬＥＤアレイであることが考えられる。また、発光部１１２が、１つ又は複数の光源と、その光源の出射光を通過させるシリンドリカルレンズなどの光学系とを含むことが考えられる。
【００２５】
赤発光部１１２Ｒ、緑発光部１１２Ｇおよび青発光部１１２Ｂは、透明の原稿台１３に載置された原稿９０に向けてそれぞれ異なる色の光を照射する光源である。
【００２６】
レンズ１１３は、原稿台１３に載置されている原稿９０からの反射光をイメージセンサー１１４の受光部へ集光する。
【００２７】
イメージセンサー１１４は、主走査方向Ｒ１に沿って並ぶ複数の光電変換素子を含む光電変換素子アレイである。一般に、前記光電変換素子はＣＭＯＳイメージセンサーである。イメージセンサー１１４は、原稿台１３上における主走査方向Ｒ１に沿う線状領域からの反射光の光量を画素ごとに検出し、検出した各画素の光量データを前記線状領域の画像データ列として出力する。
【００２８】
イメージセンサー１１４は、原稿台１３に沿って副走査方向Ｒ２へ移動中に前記線状領域からの反射光の光量を順次検出することにより、主走査方向Ｒ１に沿う１ライン分ずつ原稿９０の画像を読み取る。
【００２９】
イメージセンサー１１４の検出光量は、原稿９０の画像濃度の指標値である。イメージセンサー１１４の検出光量が小さいほど、原稿９０の画像濃度が大きいことを意味する。
【００３０】
原稿９０の画像を読み取る工程において、赤発光部１１２Ｒ、緑発光部１１２Ｇおよび青発光部１１２Ｂの各々が順番に点灯し、赤色光、緑色光および青色光が順番に原稿９０に照射される。これにより、イメージセンサー１１４は、原稿９０における赤色画像、緑色画像および青色画像の各々の濃度を表す３組の画像データ列を順次出力する。これにより、原稿９０の画像をカラー画像として読み取ることが可能である。
【００３１】
以下の説明において、画像走査部１１のイメージセンサー１１４が出力する原稿画像の主走査方向Ｒ１における各色の１ライン分の前記画像データ列のことを単色ライン画像データと称する。
【００３２】
原稿９０の画像がカラー画像として読み取られる場合、イメージセンサー１１４は、発光部１１２Ｒ，１１２Ｇ，１１２Ｂ各々の発光に同期して原稿９０における前記線状領域からの反射光の光量を検出しつつ前記単色ライン画像データを順次出力する。
【００３３】
また、原稿９０の画像が白黒画像として読み取られる場合、赤発光部１１２Ｒ、緑発光部１１２Ｇおよび青発光部１１２Ｂの各々が同時に点灯する。これにより、白色光が前記線状領域に照射され、前記線状領域からの反射光の検出光量の前記データ列が白黒画像データ列として出力される。
【００３４】
走査機構１１１は、イメージセンサーユニット１１０を支持して副走査方向Ｒ２に沿って移動させる機構である。これにより、発光部１１２の光の照射対象である前記線状領域の副走査方向Ｒ２における位置が変化する。発光部１１２の光が照射される前記線状領域は、イメージセンサー１１４による放出光量の検出対象でもある。なお、走査機構１１１は、ステッピングモーターなどの不図示の駆動部も備える。
【００３５】
走査機構１１１は、発光部１１２を含むイメージセンサーユニット１１０を副走査方向Ｒ２に沿って移動させる。これにより、画像走査部１１は、原稿台１３における主走査方向Ｒ１に沿う前記線状領域からの反射光の光量を画素ごとに検出しつつ副走査方向Ｒ２に沿って原稿台１３上を走査する。原稿９０が原稿台１３上に載置されている状態においては、画像走査部１１の走査対象の一部または全部が原稿９０である。
【００３６】
以上に示したように、画像走査部１１はカラー画像読取処理を実行可能である。前記カラー画像読取処理において、画像走査部１１は、複数の発光部１１２Ｒ，１１２Ｇ，１１２Ｂが順次発光するごとに、原稿９０から主走査方向Ｒ１の１ライン分の画像を読み取るとともに、副走査方向Ｒ２に沿って原稿９０を走査する。これにより、画像走査部１１は、各発光色に対応する複数ライン分の前記単色ライン画像データを順次出力する。
【００３７】
前記カラー画像読取処理において、後述する制御部８が、発光部１１２Ｒ，１１２Ｇ，１１２Ｂ各々を順次発光させ、全発光色について一巡するごとに得られる１組の全発光色の前記単色ライン画像データが、主走査方向Ｒ１の１ライン分のカラー画像データとして処理される。
【００３８】
一方、モノクロ画像処理においては、制御部８が、発光部１１２Ｒ，１１２Ｇ，１１２Ｂを同時に発光させ、イメージセンサーユニット１１０が予め設定された周期で順次出力する前記画像データ列各々が、主走査方向Ｒ１の１ライン分の白黒画像データ列として処理される。
【００３９】
なお、走査機構１１１は、イメージセンサーユニット１１０をＡＤＦ１４の原稿搬送路１４０における予め定められた第１位置Ｐ１で静止させることができる。イメージセンサーユニット１１０が第１位置Ｐ１に位置する状態において、発光部１１２は、ＡＤＦ１４が搬送中の原稿９０の第１面に対し、透明なコンタクト部１３ａを通じて光を照射する。さらに、イメージセンサー１１４は、ＡＤＦ１４が搬送中の原稿９０における前記第１面の画像データ列を順次出力する。
【００４０】
ＡＤＦ１４は、回転する複数の搬送ローラー１２２により、原稿トレイ１２１にセットされた原稿９０を、原稿搬送路１４０に沿って原稿排出トレイ１２３まで搬送する。その際、走査機構１１１によって第１位置Ｐ１に支持されたイメージセンサーユニット１１０が、原稿９０の前記第１面の画像を読み取る。
【００４１】
図１に示される例において、画像読取装置１は、ＡＤＦ１４の原稿搬送路１４０における第２位置Ｐ２に取り付けられたもう１つのイメージセンサーユニット１２０を備える。イメージセンサーユニット１２０は、イメージセンサーユニット１１０と同様の構造を有するＣＩＳユニットである。
【００４２】
イメージセンサーユニット１２０は、ＡＤＦ１４が搬送中の原稿９０における第２面の画像を読み取り、前記第２面の画像に対応する画像データ列を順次出力する。
【００４３】
両面読取モードでの画像読取処理が操作表示部８０を通じて指定された場合、ＡＤＦ１４が原稿９０を原稿搬送路１４０に沿って搬送するとともに、２つのイメージセンサーユニット１１０，１２０が原稿搬送路１４０を移動中の原稿９０の両面の画像を並行して読み取る。
【００４４】
画像形成装置２は、画像読取装置１によって得られる複数の前記単色ライン画像データに応じた画像を記録シート９に形成する装置である。記録シート９は、紙、コート紙、ハガキ、封筒、およびＯＨＰシートなどのシート状の画像形成媒体である。
【００４５】
例えば、画像形成装置２は、シート搬送部３、画像形成部４、光走査部５および定着部６などを備える。図１が示す画像形成装置２は、電子写真方式の画像形成装置である。なお、画像形成装置２がインクジェット方式などの他の方式の画像形成装置であることも考えられる。
【００４６】
シート搬送部３において、送出ローラー３１が記録シート９をシート収容部３０からシート搬送路３００へ送り出す。さらに、搬送ローラー３２が記録シート９をシート搬送路３００に沿って搬送する。さらに、排出ローラー３３が画像形成後の記録シート９をシート搬送路３００の出口から排出トレイ１０１上へ排出する。
【００４７】
画像形成部４は、画像走査部１１が出力する画像データに応じた画像を記録シート９に形成する画像形成処理を実行する。図１に示される画像形成装置２は、タンデム型画像形成装置であり、カラープリンターである。そのため、画像形成部４は、中間転写ベルト４８、二次クリーニング装置４８０および二次転写装置４９をさらに備える。
【００４８】
また、画像形成部４は、シアン、マゼンタ、イエローおよびブラックの各色に対応した複数の単色画像形成部４ｘを備える。さらに、画像処理装置１０は、シアン、マゼンタ、イエローおよびブラックの各色の現像剤を後述する現像装置４３各々に供給する複数の現像剤補給部４０を備える。
【００４９】
シート収容部３０は、複数の記録シート９を重ねて載置可能に構成されている。シート搬送部３は、送出ローラー３１、搬送ローラー３２および排出ローラー３３などを備える。
【００５０】
送出ローラー３１は、記録シート９に接して回転することにより記録シート９をシート収容部３０からシート搬送路３００へ向けて送り出す。搬送ローラー３２は、記録シート９をシート搬送路３００に沿って画像形成部４の二次転写装置４９へ向けて搬送する。さらに、排出ローラー３３が画像形成後の記録シート９をシート搬送路３００の排出口から排出トレイ１０１上へ排出する。
【００５１】
単色画像形成部４ｘ各々は、前記現像剤の像を担持する感光体４１、帯電装置４２、現像装置４３、一次転写装置４５および一次クリーニング装置４７などを備える。感光体４１は像担持体の一例である。
【００５２】
感光体４１が回転し、帯電装置４２が感光体４１の表面を一様に帯電させる。さらに、光走査部５がレーザー光を走査することにより帯電した感光体４１の表面に静電潜像を書き込む。さらに、現像装置４３が感光体４１に前記現像剤を供給することにより、前記静電潜像を前記現像剤の像へ現像する。なお、前記現像剤は、現像剤補給部４０から現像装置４３へ供給される。
【００５３】
さらに、一次転写装置４５が、中間転写ベルト４８に感光体４１表面の前記現像剤の像を転写する。また、一次クリーニング装置４７が感光体４１表面に残存する前記現像剤を除去する。
【００５４】
中間転写ベルト４８は、環状に形成された無端の帯状部材である。中間転写ベルト４８は、２つのローラーに架け渡された状態で回転する。画像形成部４において、単色画像形成部４ｘ各々は、回転する中間転写ベルト４８の表面に各色の画像を形成する。これにより、各色の画像が重ねられたカラー画像が中間転写ベルト４８に形成される。
【００５５】
二次転写装置４９は、中間転写ベルト４８に形成された前記現像剤の像を記録シート９に転写する。二次クリーニング装置４８０は、中間転写ベルト４８における二次転写装置４９を経た後の部分に残存する前記現像剤を除去する。
【００５６】
定着部６は、ヒーターを内包する加熱ローラー６１と加圧ローラー６２との間に画像が形成された記録シート９を挟み込みつつ後工程へ送り出す。これにより、定着部６は、記録シート９上の前記現像剤を加熱し、記録シート９上に画像を定着させる。
【００５７】
操作表示部８０は、例えば液晶パネルなどのパネルディスプレーを含む表示部と、タッチパネルおよび操作ボタンなどを含む操作部とを含むマンマシンインターフェイス装置である。
【００５８】
制御部８は、操作表示部８０を通じて入力される入力情報および各種センサーの検出結果に基づいて、画像処理装置１０が備える各種の電気機器を制御する。例えば、制御部８は、操作表示部８０に操作メニューなどを表示させる。さらに、制御部８は、画像読取装置１を通じて入力される画像データに対する画像処理を実行する。
【００５９】
例えば、図３が示すように、制御部８は、ＭＰＵ（Micro Processor Unit）８１、記憶部８２、走査制御部８３、発光制御部８４、画像処理部８５、レーザー制御部８６および信号インターフェイス８７などを備える。
【００６０】
ＭＰＵ８１は、各種の演算処理を実行するプロセッサーである。記憶部８２は、ＭＰＵ８１に各種の処理を実行させるためのプログラムなどの情報が予め記憶される不揮発性の情報記憶媒体である。さらに、記憶部８２は、ＭＰＵ８１による各種情報の読み書きが可能な情報記憶媒体でもある。
【００６１】
制御部８は、ＭＰＵ８１が記憶部８２に予め記憶された各種のプログラムを実行することにより画像処理装置１０を統括的に制御する。
【００６２】
信号インターフェイス８７は、ＭＰＵ８１と操作表示部８０および不図示のセンサーなどとの間の信号の受け渡しを中継するインターフェイス回路である。
【００６３】
例えば、ＭＰＵ８１は、信号インターフェイス８７を介して文字および画像などに関する表示用データを操作表示部８０に出力する。これにより、前記表示要データに応じた文字または画像が操作表示部８０に表示される。さらに、ＭＰＵ８１は、信号インターフェイス８７を介して操作表示部８０に対する操作に応じた情報を入力する。
【００６４】
走査制御部８３は、画像走査部１１の走査機構１１１を制御することにより、画像走査部１１による副走査方向Ｒ２の走査位置、即ち、画像走査部１１が走査対象とする前記線状領域の位置を制御する。
【００６５】
発光制御部８４は、画像走査部１１の発光部１１２を制御し、状況に応じて赤発光部１１２Ｒ、緑発光部１１２Ｇおよび青発光部１１２Ｂ各々の発光状態を個別に切り替える。画像処理部８５は、画像走査部１１を通じて得られる複数の前記単色ライン画像データを入力し、画像処理を実行する。
【００６６】
レーザー制御部８６は、画像処理部８５が出力する記録用画像データ列を入力し、その記録用画像データ列が示す各画素の濃度に応じて光走査部５が出力するレーザー光の光量を調節する。
【００６７】
ところで、１ライン分のカラー画像データを得るために発光部１１２の順次点灯を複数周期繰り返すことは、副走査方向Ｒ２における読取画像の解像度の悪化につながる。また、解像度の悪化を回避するために副走査方向Ｒ２の走査速度を遅くすることは、処理速度の性能悪化につながる。
【００６８】
一方、原稿９０の下地の色および画像内容などによって、色ズレが目立つ場合と目立たない場合とがある。画像読取装置１は、前記カラー画像読取処理の解像度および速度の性能悪化を招くことなく読取画像における色ズレが極力目立たないようにできる機能を備える。以下、その機能について説明する。
【００６９】
本実施形態における走査制御部８３は、全範囲走査モードおよび部分範囲走査モードの２種類の走査モードで画像走査部１１を動作させる。前記全範囲走査モードは、画像走査部１１が副走査方向Ｒ２における起点から終点までの走査範囲全体を走査するモードである。前記部分範囲走査モードは、画像走査部１１が副走査方向Ｒ２の前記走査範囲全体における前記起点側の一部の範囲のみを走査するモードである。
【００７０】
例えば、前記走査範囲における前記起点および前記終点の各々が、予め設定された位置であることが考えられる。この場合、前記起点および前記終点の各位置が、画像走査部１１が副走査方向Ｒ２における走査可能範囲の両端の位置であることが考えられる。
【００７１】
また、前記起点および前記終点の一方又は両方の位置が、前記操作表示部８０に対する操作によって前記走査可能範囲内で設定されることも考えられる。例えば、前記操作表示部８０に対して原稿９０のサイズおよび向きの情報が入力された場合に、前記走査可能範囲の一端が前記起点の位置として設定され、原稿９０のサイズおよび向きに対応した位置が前記終点の位置として設定されることが考えられる。
【００７２】
また、画像処理部８５が、前記起点および前記終点の一方又は両方の位置を自動設定することも考えられる。この場合、画像処理部８５は、原稿台１３上の原稿９０の副走査方向Ｒ２における先端位置および後端位置の一方または両方を検出する原稿端検出処理を実行し、検出結果を前記起点または前記終点として設定する。なお、前記原稿端検出処理のアルゴリズムとして、周知の各種アルゴリズムを採用することが可能である。
【００７３】
また、走査制御部８３は、前記部分範囲走査モードにおいて、副走査方向Ｒ２における前記起点から先頭画像位置までの範囲を画像走査部１１に走査させる。前記先頭画像位置は、原稿９０が前記起点から副走査方向Ｒ２に沿って走査される際に、副走査方向Ｒ２において予め定められた以上の幅を占める画像が最初に検出される位置である。
【００７４】
前記先頭画像位置は、画像処理部８５の画像位置検出部８５１が画像走査部１１から順次出力される前記単色ライン画像データに基づいて検出する。例えば、画像位置検出部８５１が、順次入力される前記単色ライン画像データ各々の２値化データにおける高濃度側の画素の数を検出することによって前記先頭画像位置を検出することが考えられる。この場合、画像位置検出部８５１は、予め定められた数以上の前記高濃度側の画素を含む前記単色ライン画像データが予め定められた数以上連続して入力されたとき、その単色ライン画像データに対応する位置を前記先頭画像位置として検出する。
【００７５】
以下の説明において、副走査方向Ｒ２において予め定められた幅を占める原稿９０の画像のうち、最も副走査方向Ｒ２の前記起点側に位置するもののことを先頭画像と称する。画像位置検出部８５１は、前記先頭画像における原稿９０の終端側の端の位置を検出する。
【００７６】
［画像読取装置の制御方法］
以下、図４に示されるフローチャートを参照しつつ、画像読取装置１の前記カラー画像読取処理の手順の一例について説明する。以下の説明においてＳ１０１，Ｓ１０２，…は、制御部８におけるＭＰＵ８１、走査制御部８３および発光制御部８４が実行する各工程の識別符号を表す。
【００７７】
制御部８は、動作モードとしてカラー読取モードが選択された状態で、操作表示部８０を通じて画像読取処理の開始操作が行われたことを検知したときに図４に示される処理を開始する。
【００７８】
＜工程Ｓ１０１，Ｓ１０２＞
前記カラー画像読取処理において、発光制御部８４の一部である選択前発光制御部８４１が、複数の発光部１１２Ｒ，１１２Ｇ，１１２Ｂを予め定められた複数の発光パターン各々に従った順序で１色ずつ順次発光させる（Ｓ１０１）。前記発光パターン各々は、１番目からＮ番目までの予め定められた複数の発光順序を表す。以下、工程Ｓ１０１において採用される前記発光パターンの番号をｉとして説明する。番号ｉの初期値は１である。
【００７９】
なお、３つの発光色Ｒ，Ｇ，Ｂのいずれを２番目に発光させるかによって色ズレの目立ち度合いが異なる場合が多いが、残りの２つの発光色の順序は、色ズレの目立ち度合いへの影響が小さい。そのため、発光部１１２の数が３つである場合、前記発光パターンの候補として、２番目の発光色が異なる３つの候補が用意されれば十分である。従って、Ｎ＝３であれば十分ある。
【００８０】
さらに、発光部１１２がｉ番目の前記発光パターンに従った順序で順次発光するのに並行して、走査制御部８３の一部である第１走査制御部８３１が、前記部分範囲走査モードで画像走査部１１を動作させる（Ｓ１０２）。
【００８１】
工程Ｓ１０２において、画像位置検出部８５１が前記先頭画像位置を検出処理を実行する。工程Ｓ１０２の処理により、前記先頭画像のデータを含むカラー画像データである標本データＤ１が得られる。画像処理部８５は、標本データＤ１を不図示のデータバッファーに一次記憶させる。
【００８２】
＜工程Ｓ１０３，Ｓ１０４＞
さらに、選択前発光制御部８４１は、画像走査部１１の前記部分範囲走査モードでの１回の動作が終了するごとに、１番目からＮ番目までの全ての前記発光パターンについて工程Ｓ１０１，Ｓ１０２の処理が終了したか否かを判定する（Ｓ１０３）。
【００８３】
１番目からＮ番目までの全ての前記発光パターンについて工程Ｓ１０１，Ｓ１０２の処理が未だ終了していなければ、工程Ｓ１０１，Ｓ１０２の処理が繰り返される。その際、工程Ｓ１０１において採用される前記発光パターンの番号ｉは、工程Ｓ１０１，Ｓ１０２の処理が１回行われるごとに順次変更される（Ｓ１０４）。
【００８４】
工程Ｓ１０１〜Ｓ１０４の処理により、発光部１１２の発光順序がそれぞれ異なる状況下で得られた複数の標本データＤ１が得られる。
【００８５】
前記部分範囲走査モードでの工程Ｓ１０２において、第１走査制御部８３１が、１回ごとに副走査方向Ｒ２の走査の開始位置を前記起点に戻し、毎回前記起点から前記先頭画像位置へ原稿９０を走査することが考えられる。その他、画像走査部１１が、前記起点から前記先頭画像位置への往路走査と、前記先頭画像位置から前記起点への復路走査とを交互に実行することも考えられる。
【００８６】
なお、工程Ｓ１０２において、前記往路走査と前記復路走査とが行われる場合、前記復路走査で得られる前記単色ライン画像データ各々は、取得順序を逆にした上で前記往路走査で得られる前記単色ライン画像データ各々と比較される。
【００８７】
工程Ｓ１０１の処理を実行する選択前発光制御部８４１は、第１選択前発光制御部の一例である。
【００８８】
また、工程Ｓ１０２の処理を実行する第１走査制御部８３１は、全ての前記発光パターン各々に従った順序での発光部１１２Ｒ，１１２Ｇ，１１２Ｂの発光と並行して、画像走査部１１に副走査方向Ｒ２における前記起点側の一部の走査範囲について前記カラー画像読取処理を実行させる。この第１走査制御部８３１は、第１選択前走査制御部の一例である。
【００８９】
標本データＤ１は、副走査方向Ｒ２における前記起点側の一部の走査範囲についての前記カラー画像読取処理において得られる１組の前記単色ライン画像データを主走査方向Ｒ１の１ライン分のカラー画像データとして処理される。１組の前記単色ライン画像データは、発光部１１２Ｒ，１１２Ｇ，１１２Ｂ各々の発光が全発光色について一巡するごとに得られる３原色の前記単色ライン画像データである。
【００９０】
＜工程Ｓ１０５＞
次に、画像処理部８５の標本画像抽出部８５２が、複数の標本データＤ１各々について、一部の画像領域のデータを抽出し、抽出したデータを標本抽出画像データＤ２として記憶部８２に記憶させる。以下の説明において、標本抽出画像データＤ２が表すカラー画像のことを標本画像ｇ０と称する。
【００９１】
標本画像ｇ０は、前記先頭画像の一部または全部である。即ち、標本抽出画像データＤ２が表す標本画像ｇ０は、副走査方向Ｒ２における前記起点側の一部の走査範囲のうちのさらに一部の領域の画像である。
【００９２】
例えば、標本画像抽出部８５２は、複数の標本データＤ１各々について、濃度の変化が最も大きい画像を含む領域のデータを標本抽出画像データＤ２として抽出する。その際、複数の標本データＤ１各々について、同じ領域のデータを標本抽出画像データＤ２として抽出する。
【００９３】
＜工程Ｓ１０６＞
次に、ＭＰＵ８１が、複数の標本抽出画像データＤ２を操作表示部８０に出力することによって複数の前記発光パターン各々に対応する複数のカラーの標本画像ｇ０を操作表示部８０に表示させる。
【００９４】
図５は、操作表示部８０における複数の標本画像ｇ０の表示画面の一例を示す。図５が示す例では、ＭＰＵ８１は、複数の前記発光パターン各々に対応する複数の標本画像ｇ０を並べて操作表示部８０の前記表示部に表示させる。図５が示す標本画像ｇ０各々は、副走査方向Ｒ２における前記起点側の一部の走査範囲のうちのさらに一部の領域の画像の一例である。
【００９５】
ＭＰＵ８１は、標本画像出力プログラムＰｒ１を実行することによって工程Ｓ１０６の処理を実現する。標本画像出力プログラムＰｒ１を実行するＭＰＵ８１は、複数の発光順序各々に対応する複数のカラーの標本画像ｇ０を前記表示部に表示させる標本画像出力部の一例である。
【００９６】
＜工程Ｓ１０７＞
さらに、ＭＰＵ８１が、発光順序手動選択処理を実行する。前記発光順序手動選択処理は、操作表示部８０の前記操作部に対する選択操作を通じて標本画像ｇ０の１つに対応する前記発光パターンを選択する処理である。
【００９７】
図５が示す例では、ＭＰＵ８１は、複数の標本画像ｇ０のうちのいずれが選択されたかを示すチェックボックスｇ１を操作表示部８０の前記表示部に表示させる。前記選択操作は、例えばタッチパネルに対するタッチ操作または不図示のカーソル移動キーおよび確定キーの操作などである。
【００９８】
原稿９０の下地の色および画像内容などにより、発光部１１２Ｒ，１１２Ｇ，１１２Ｂ各々の発光順序を変えるだけで、色ズレが目立たなくなる場合がある。例えば、原稿９０の下地の色が赤成分の強い色である場合、赤発光部１１２Ｒの発光順序を１番目または３番目として発光部１１２Ｒ，１１２Ｇ，１１２Ｂ各々を順次発光させると、色ズレが目立たなくなる。
【００９９】
ユーザーは、表示された複数の標本画像ｇ０の目視確認によって最も色ズレが目立ちにくい標本画像ｇ０を選択する。これにより、色ズレが目立ちにくい発光順序が手動選択される。
【０１００】
ＭＰＵ８１は、発光順序手動選択プログラムＰｒ２を実行することによって工程Ｓ１０７の処理を実現する。発光順序手動選択プログラムＰｒ２を実行するＭＰＵ８１は、前記操作部に対する標本画像ｇ０の１つを選択する操作を通じて標本画像ｇ０の１つに対応する前記発光パターンを選択する発光順序手動選択部の一例である。このときのＭＰＵ８１は、複数の発光部１１２Ｒ，１１２Ｇ，１１２Ｂの発光順序を予め定められた複数の前記発光パターンの中から選択する発光順序選択部の一例でもある。
【０１０１】
＜工程Ｓ１０８，Ｓ１０９＞
続いて、発光制御部８４の一部である選択後発光制御部８４２が、発光部１１２Ｒ，１１２Ｇ，１１２Ｂ各々を前記発光順序手動選択処理で選択された前記発光パターンに従った順序で１色ずつ順次発光させる選択順序点灯処理を実行する（Ｓ１０８）。この工程を実行するＭＰＵ８１が選択後発光制御部の一例である。
【０１０２】
さらに、発光部１１２が選択された前記発光パターンに従った順序で順次発光するのに並行して、走査制御部８３の一部である第２走査制御部８３２が、前記全範囲走査モードで画像走査部１１を動作させる（Ｓ１０９）。これにより、画像走査部１１が副走査方向Ｒ２の全走査範囲について前記カラー画像読取処理を実行する。第２走査制御部８３２は選択後走査制御部の一例である。
【０１０３】
第２走査制御部８３２が、前記全範囲走査モードで画像走査部１１を動作させることにより、発光部１１２Ｒ，１１２Ｇ，１１２Ｂ各々の発光が全発光色について一巡するごと１組の前記単色ライン画像データが得られる。この１組の前記単色ライン画像データは、画像処理部８５によって主走査方向Ｒ１の１ライン分のカラー画像データとして処理される。
【０１０４】
前記全範囲走査モードでの画像走査部１１の動作の終了により、本実施形態における前記カラー画像読取処理が終了する。
【０１０５】
本実施形態によれば、前記カラー画像読取処理の解像度および速度の性能悪化を招くことなく読取画像における色ズレが極力目立たないようにすることができる。
【０１０６】
また、本実施形態においては、副走査方向Ｒ２における前記起点側の一部の走査範囲のうちのさらに一部の領域の画像が前記標本画像として操作表示部８０に表示される。この場合、比較的画像の密度が高い小さな領域を拡大して操作表示部８０に表示させることができる。その結果、ユーザーが色ズレの程度を確認しやすくなる。
【０１０７】
さらに、複数の前記発光パターン各々に対応する複数の標本画像ｇ０が並ぶ状態で表示されるため、ユーザーが前記発光パターンごとの色ズレの程度を比較しやすくなる。
【０１０８】
［第２実施形態］
次に、図６に示されるフローチャートを参照しつつ、第２実施形態に係る画像読取装置について説明する。図６は、第２実施形態に係る画像読取装置における前記カラー画像読取処理の手順の一例を示すフローチャートである。
【０１０９】
第２実施形態に係る画像読取装置は、原稿９０の下地色の情報の取得およびその下地色に応じた発光順序の選択を自動的に行う機能を備える。以下の説明においてＳ２０１，Ｓ２０２，…は、第２実施形態の制御部８におけるＭＰＵ８１、走査制御部８３および発光制御部８４が実行する各工程の識別符号を表す。
【０１１０】
制御部８は、動作モードとしてカラー読取モードが選択された状態で、操作表示部８０を通じて画像読取処理の開始操作が行われたことを検知したときに図６に示される処理を開始する。
【０１１１】
＜工程Ｓ２０１，Ｓ２０２＞
前記カラー画像読取処理において、発光制御部８４の一部である選択前発光制御部８４１が、発光部１１２Ｒ，１１２Ｇ，１１２Ｂ各々を複数の前記発光パターンのうちの予め定められた１つに従った順序で１色ずつ順次発光させる（Ｓ２０１）。以下の説明において、この工程で採用される前記発光パターンの発光順序のことを既定発光順序と称する。なお、本工程における選択前発光制御部８４１が第２選択前発光制御部の一例である。
【０１１２】
さらに、発光部１１２が前記既定発光順序で順次発光するのに並行して、第２走査制御部８３２が、前記全範囲走査モードで画像走査部１１を動作させる（Ｓ２０２）。
【０１１３】
＜工程Ｓ２０３＞
さらに、前記全範囲走査モードでの画像走査部１１の動作中に、画像処理部８５の色分布解析部８５３が、３色分の１組の前記単色ライン画像データが得られるごとに、その１組の前記単色ライン画像データにおける色分布を解析し、解析結果である色分布情報を記憶部８２に記憶させる。
【０１１４】
色分布解析部８５３は、１組の前記単色ライン画像データにおける各画素の色を予め定められた複数のサンプル色のいずれかに分類し、前記サンプル色ごとの累積度数を前記色分布情報として記録する。
【０１１５】
色分布解析部８５３は、副走査方向Ｒ２における走査が前記起点側の予め定められた一部の範囲である既定部分範囲まで進むまで、色分布を解析して前記色分布情報を更新する処理を実行する。
【０１１６】
＜工程Ｓ２０４＞
さらに、前記全範囲走査モードでの画像走査部１１の動作中に、前記第２走査制御部８３２が、副走査方向Ｒ２における走査が前記起点側の前記既定部分範囲まで進んだか否かを判定する（Ｓ２０４）。
【０１１７】
副走査方向Ｒ２における走査が前記起点側の前記既定部分範囲まで進むまでの第２走査制御部８３２は、第２選択前走査制御部の一例である。原稿９０の走査が前記既定部分範囲まで進む間において、第２走査制御部８３２は、工程Ｓ２０１の処理と並行して画像走査部１１に副走査方向Ｒ２における前記起点側の一部の走査範囲について前記カラー画像読取処理を実行させる（Ｓ２０２，Ｓ２０４）。
【０１１８】
＜工程Ｓ２０５＞
副走査方向Ｒ２における走査が前記起点側の前記既定部分範囲まで進むと、画像処理部８５の原稿下地色解析部８５４が、前記色分布情報に基づいて原稿９０の下地の色を判定する。例えば、原稿下地色解析部８５４は、前記色分布情報において最も度数の高い前記サンプル色を原稿９０の下地の色として特定する。
【０１１９】
一般に、原稿９０における大部分の領域は画像が形成されていない下地領域であり、比較的占有率の小さな残りの領域が画像が形成された領域であることが多い。そのため、多くの場合、前記色分布情報において最も度数の高い前記サンプル色が、原稿９０の下地色に近似した色である。
【０１２０】
また、原稿９０の縁部が画像が形成されていない下地領域である場合が多い。そのため、前記既定部分範囲が原稿９０の先端側の縁部であれば、前記既定部分範囲において前記既定発光順序での発光が採用されても、色ズレへの影響は小さい。
【０１２１】
原稿下地色解析部８５４は、原稿９０の下地の色として特定した色に関する原稿下地情報をＭＰＵ８１に提供する。即ち、原稿下地色解析部８５４は、前記起点側の一部の前記既定部分範囲についての前記カラー画像読取処理において発光部１１２Ｒ，１１２Ｇ，１１２Ｂ各々の発光が全発光色について一巡するごとに得られる全ての発光色の前記単色ライン画像データが表す色の情報を前記原稿下地情報とする。
【０１２２】
なお、原稿９０の走査が前記既定部分範囲まで進む間における第２走査制御部８３２および原稿下地色解析部８５４は、原稿９０の下地色に関する前記原稿下地情報を取得する原稿下地情報取得部の一例である。
【０１２３】
＜工程Ｓ２０６＞
さらに、ＭＰＵ８１が、発光順序自動選択処理を実行する。前記発光順序自動選択処理は、原稿下地色解析部８５４から得た前記原稿下地情報に対応する色における３つの発光色Ｒ，Ｇ，Ｂ各々の成分のうち最も弱い成分に相当する発光部１１２を２番目に発光させる発光順序を選択する処理である。
【０１２４】
例えば、前記原稿下地情報に対応する前記サンプル色における３つの発光色Ｒ，Ｇ，Ｂ各々の成分の比（Ｒ：Ｇ：Ｂ）が５：２：４である場合、ＭＰＵ８１は、予め定められた複数の候補の中から緑発光部１１２Ｇを２番目に発光させる発光順序を選択する。
【０１２５】
ＭＰＵ８１は、発光順序自動選択プログラムＰｒ３を実行することによって工程Ｓ２０６の処理を実現する。発光順序自動選択プログラムＰｒ３を実行するＭＰＵ８１は、発光順序自動選択部の一例である。前述したように、ＭＰＵ８１は、前記原稿下地情報により特定される３つの発光色各々の成分のうち最も弱い成分に相当する発光部１１２を２番目に発光させる前記発光パターンを選択する（Ｓ２０６）。このときのＭＰＵ８１は、発光部１１２Ｒ，１１２Ｇ，１１２Ｂ各々の発光順序を予め定められた複数の選択肢の中から選択する発光順序選択部の一例でもある。
【０１２６】
なお、前述したように、１番目および３番目の発光色をいずれの色にするかは、色ズレの目立ち度合いへの影響が小さい。そのため、発光部１１２の数が３つである場合、発光順序の選択候補として、２番目の発光色が異なる３つの候補が用意されれば十分である。
【０１２７】
＜工程Ｓ２０７＞
続いて、副走査方向Ｒ２における残りの走査範囲について画像走査部１１による走査が行われる間に、発光制御部８４の選択後発光制御部８４２が、発光部１１２Ｒ，１１２Ｇ，１１２Ｂ各々を前記発光順序自動選択処理で選択された発光順序で１色ずつ順次発光させる選択順序点灯処理を実行する（Ｓ２０７）。
【０１２８】
本実施形態における第２走査制御部８３２は、選択前発光制御部８４１による発光部１１２Ｒ，１１２Ｇ，１１２Ｂ各々の発光と並行して画像走査部１１に副走査方向Ｒ２における前記起点側の一部の走査範囲について前記カラー画像読取処理を実行させる。このときの第２走査制御部８３２が第２選択前走査制御部の一例である。さらに、第２走査制御部８３２は、それに引き続き選択後発光制御部８４２による発光部１１２Ｒ，１１２Ｇ，１１２Ｂ各々の発光と並行して画像走査部１１に副走査方向Ｒ２における残り走査範囲について前記カラー画像読取処理を実行させる。このときの第２走査制御部８３２が選択後走査制御部の一例である。
【０１２９】
第２走査制御部８３２が、前記全範囲走査モードで画像走査部１１を動作させることにより、発光部１１２Ｒ，１１２Ｇ，１１２Ｂ各々の発光が全発光色について一巡するごと１組の前記単色ライン画像データが得られる。この１組の前記単色ライン画像データは、画像処理部８５によって主走査方向Ｒ１の１ライン分のカラー画像データとして処理される。
【０１３０】
＜工程Ｓ２０８＞
第２走査制御部８３２は、副走査方向Ｒ２における全走査範囲について原稿９０の走査が終了すると、前記カラー画像読取処理を終了させる。
【０１３１】
一般に、原稿９０の下地の色に近い色の発光部１１２が１番目または３番目に点灯されると、色ズレが目立たなくなる。換言すれば、原稿９０の下地の色との違いが大きな色の発光部１１２が２番目に点灯されると、色ズレが目立たなくなる。
【０１３２】
また、原稿９０の下地の色における３原色Ｒ，Ｇ，Ｂ各々の成分のうち最も弱い成分に相当する発光色は、原稿９０の下地の色との違いが大きな色であるといえる。従って、原稿９０の下地の色における３原色Ｒ，Ｇ，Ｂ各々の成分のうち最も弱い成分に相当する発光部１１２が２番目に点灯されると、色ズレが目立たなくなる。
【０１３３】
以上より、本実施形態によれば、制御部８による発光順序の自動選択により、画像読取処理の解像度および速度の性能悪化を招くことなく読取画像における色ズレが極力目立たないようにできる。
【０１３４】
[第３実施形態]
次に、図７に示されるフローチャートを参照しつつ、第３実施形態に係る画像読取装置について説明する。図７は、第３実施形態に係る画像読取装置における前記カラー画像読取処理の手順の一例を示すフローチャートである。
【０１３５】
第３実施形態に係る画像読取装置は、原稿９０の下地色の情報を操作表示部８０に対する操作に従って取得し、その下地色に応じた発光順序の選択を自動的に行う機能を備える。以下の説明においてＳ３０１，Ｓ３０２，…は、第３実施形態の制御部８におけるＭＰＵ８１、走査制御部８３および発光制御部８４が実行する各工程の識別符号を表す。
【０１３６】
制御部８は、動作モードとしてカラー読取モードが選択された状態で、操作表示部８０を通じて画像読取処理の開始操作が行われたことを検知したときに図７に示される処理を開始する。
【０１３７】
＜工程Ｓ３０１＞
まず、ＭＰＵ８１が、指定色情報取得処理を実行する。前記指定色情報取得処理は、操作表示部８０の前記操作部に対する操作によって指定される指定色の情報を取得する処理である。この場合、ＭＰＵ８１は、前記指定色に関する情報を前記原稿下地情報とする。
【０１３８】
ＭＰＵ８１は、指定色情報取得プログラムＰｒ４を実行することによって工程Ｓ３０１の処理を実現する。指定色情報取得プログラムＰｒ４を実行するＭＰＵ８１が指定色情報取得部の一例である。
【０１３９】
例えば、ＭＰＵ８１は、予め定められた複数のサンプル色各々のパターン画像を前記表示部に表示させ、それらサンプル色のうち原稿９０の下地色に近似する１つを前記操作部に対する操作に従って前記指定色として選択する。
【０１４０】
＜工程Ｓ３０２＞
ＭＰＵ８１が、工程Ｓ２０６と同様に、前記発光順序自動選択処理を実行する。工程Ｓ３０２において、ＭＰＵ８１は、工程Ｓ３０１で得られた前記原稿下地情報に対応する前記指定色における３つの発光色Ｒ，Ｇ，Ｂ各々の成分のうち最も弱い成分に相当する発光部１１２を２番目に発光させる発光順序を選択する。
【０１４１】
＜工程Ｓ３０３，Ｓ３０４＞
続いて、発光制御部８４の選択後発光制御部８４２が、工程Ｓ１０８と同様に、発光部１１２Ｒ，１１２Ｇ，１１２Ｂ各々を前記発光順序手動選択処理で選択された発光順序で１色ずつ順次発光させる選択順序点灯処理を実行する（Ｓ３０３）。
【０１４２】
さらに、工程Ｓ１０９と同様に、発光部１１２が選択された発光順序で順次発光するのに並行して、走査制御部８３の第２走査制御部８３２が、前記全範囲走査モードで画像走査部１１を動作させる（Ｓ３０４）。これにより、画像走査部１１が副走査方向Ｒ２の全走査範囲について前記カラー画像読取処理を実行する。
【０１４３】
前記全範囲走査モードでの画像走査部１１の動作の終了により、本実施形態における前記カラー画像読取処理が終了する。本実施形態によっても、第２実施形態と同様の効果が得られる。
【０１４４】
[応用例]
第２実施形態および第３実施形態に係る画像読取装置において、ＭＰＵ８１が、他の方法によって原稿９０の下地色の情報を取得することも考えられる。例えば、画像読取装置１が、原稿トレイ１２１にセットされた原稿９０の縁部の色を検出する色センサーを備えることが考えられる。この場合、ＭＰＵ８１は、前記色センサーが検出した色の情報を原稿９０の下地色の情報として取得する。
【０１４５】
なお、本発明に係る画像読取装置、画像処理装置および画像読取装置の制御方法は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１４６】
１        ：画像読取装置
２        ：画像形成装置
３        ：シート搬送部
４        ：画像形成部
４ｘ      ：単色画像形成部
５        ：光走査部
６        ：定着部
８        ：制御部
９        ：記録シート
１０      ：画像処理装置
１１      ：画像走査部
１２      ：原稿台カバー
１３      ：原稿台
１３ａ    ：コンタクト部
３０      ：シート収容部
３１      ：送出ローラー
３２      ：搬送ローラー
３３      ：排出ローラー
４０      ：現像剤補給部
４１      ：感光体
４２      ：帯電装置
４３      ：現像装置
４５      ：一次転写装置
４７      ：一次クリーニング装置
４８      ：中間転写ベルト
４９      ：二次転写装置
６１      ：加熱ローラー
６２      ：加圧ローラー
８０      ：操作表示部
８１      ：ＭＰＵ
８２      ：記憶部
８３      ：走査制御部
８４      ：発光制御部
８５      ：画像処理部
８６      ：レーザー制御部
８７      ：信号インターフェイス
９０      ：原稿
１００    ：筐体
１０１    ：排出トレイ
１１０    ：イメージセンサーユニット
１１１    ：走査機構
１１２    ：発光部
１１２Ｂ  ：青発光部
１１２Ｇ  ：緑発光部
１１２Ｒ  ：赤発光部
１１３    ：レンズ
１１４    ：イメージセンサー
１２０    ：イメージセンサーユニット
１２１    ：原稿トレイ
１２２    ：搬送ローラー
１２３    ：原稿排出トレイ
１４０    ：原稿搬送路
３００    ：シート搬送路
４８０    ：二次クリーニング装置
８３１    ：第１走査制御部
８３２    ：第２走査制御部
８４１    ：選択前発光制御部
８４２    ：選択後発光制御部
８５１    ：画像位置検出部
８５２    ：標本画像抽出部
８５３    ：色分布解析部
８５４    ：原稿下地色解析部
Ｄ１      ：標本データ
Ｄ２      ：標本抽出画像データ
Ｐｒ１    ：標本画像出力プログラム
Ｐｒ２    ：発光順序手動選択プログラム
Ｐｒ３    ：発光順序自動選択プログラム
Ｐｒ４    ：指定色情報取得プログラム
ｇ０      ：標本画像
ｇ１      ：チェックボックス
【図１】
0006358190.tif 000002
【図２】
0006358190.tif 000003
【図３】
0006358190.tif 000004
【図４】
0006358190.tif 000005
【図５】
0006358190.tif 000006
【図６】
0006358190.tif 000007
【図７】
0006358190.tif 000008